(57)【要約】【課題】  平面鏡の機能と外観を有しながら凸面鏡又は凹面鏡の機能を併存する姿見ミラーを提供する。【解決手段】  平面ミラー２の裏面側の反射膜５の一部を除去して透視状態にし、該反射膜５の除去面に、段階的に径が変化する多数の環状傾斜反射面９を平面に同心状に配置するように形成された凸面型又は凹面型のフレネルミラー３を張りつけた構成からなる。【選択図】    図２
2005202303.tif 000002
【特許請求の範囲】
【請求項１】
平面ミラーの裏面側の反射膜の一部を除去して透視状態にし、該反射膜の除去面に、径が段階的に変化した多数の環状傾斜反射面を平面に同心状に配置するように形成された凸面型又は凹面型のフレネルミラーを張りつけた姿見ミラー。
【請求項２】
前記平面ミラーがガラス製であり、前記フレネルミラーがプラスチック製である請求項１に記載の姿見ミラー。
【請求項３】
前記平面ミラーの反射膜除去面と前記フレネルミラーの環状傾斜反射面との間に空気層を介在させた請求項１又は２に記載の姿見ミラー。
【発明の詳細な説明】
【技術分野】
【０００１】
本発明は姿見ミラーに関し、さらに詳しくは、平面鏡の機能と外観を有しながら凸面鏡又は凹面鏡の機能を併存する姿見ミラーに関する。
【背景技術】
【０００２】
自己の姿を平面鏡に写すとき、自然写像のほかに縮小された全体像を見たり、或いは部分拡大した像を見たりする手段としては、前者の場合には凸面鏡を、また後者の場合には凹面鏡を平面鏡に取り付けるようにする方法が考えられる。
【０００３】
しかし、凸面鏡や凹面鏡は球面の一部で形成された立体形状になっているため、これを平面鏡に取り付けると、凸面鏡の場合には平面鏡から前方へ突出し、また凹面鏡の場合には嵌め込み用の穴を加工して後方へ引っ込ませるようになるため、その突出したり後屈したりした形状が違和感を与え、また部屋に設置する場合のスペースも大きくなる。また、突出したり後屈したりした箇所には埃などが蓄積しやすくなり、保守管理に手間がかかるようになる。
【発明の開示】
【発明が解決しようとする課題】
【０００４】
本発明の目的は、上述した問題を解消し、平面鏡の機能と外観を有しながら凸面鏡又は凹面鏡の機能を併存する姿見ミラーを提供することにある。
【課題を解決するための手段】
【０００５】
上記目的を達成する本発明の姿見ミラーは、平面ミラーの裏面側の反射膜の一部を除去して透視状態にし、該反射膜の除去面に、径が段階的に変化した多数の環状傾斜反射面を平面に同心状に配置するように形成された凸面型又は凹面型のフレネルミラーを張りつけたことを特徴とするものである。
【発明の効果】
【０００６】
本発明によれば、平面ミラーから反射膜の一部を除去した除去面に、凸面鏡又は凹面鏡の機能を有しながら平面状の形態を有するフレネルミラーを張りつけたので、上記平面ミラーの平面形態を保持しながら、その平面ミラーに対面するとフレネルミラーが張りつけられていない箇所では自然像を写し、またフレネルミラーが張りつけられた箇所に対面すると、フレネルミラーに基づく凸面鏡又は凹面鏡の写像を写しだすことができる。したがって、平面鏡の機能と外観を有しながら凸面鏡又は凹面鏡の機能を併存する姿見ミラーにすることができる。
【発明を実施するための最良の形態】
【０００７】
以下、本発明を図に示す実施形態を参照して説明する。
【０００８】
図１は本発明の姿見ミラーを例示し、図２は図１におけるＸ−Ｘ矢視断面を示したものである。
【０００９】
図１及び図２において、姿見ミラー１は平面ミラー２を本体部分に有し、その平面ミラー２の裏面側に、図示の例では凸面型のフレネルミラー３を張りつけた構成になっている。平面ミラー２は、透明なガラス板４の裏面側に金属蒸着等により反射膜５を塗着し、その反射膜５の表面に樹脂による保護層６を塗布するように構成されている。この平面ミラー２の反射膜５は、上記フレネルミラー３が張りつけられた箇所において、保護層６と共に除去され透視状態になっている。
【００１０】
凸面型のフレネルミラー３は、透明なプラスチック板７の表面に径が段階的に変化した多数の環状傾斜面８が同心状に形成され、その環状傾斜面８に金属の蒸着による環状傾斜反射面９が形成されて構成されている。また、凸面型フレネルミラー３の環状傾斜反射面９とガラス板４の反射膜除去面との間には空気層１０が介在している。このフレネルミラー３は、固定用のテープ１１により平面ミラー２の裏面に固定されている。
【００１１】
上記プラスチック板７は、図４（Ａ），（Ｂ）に示すようなフレネル凸レンズとして形成されている。すなわち、プラスチック板７の表面に多数の環状傾斜面８が同心状に形成されており、これら多数の環状傾斜面８は、球面を共通の中心軸Ｏを中心に順次径を異ならせて輪切りにした環状体が平面に並べ替えられたものに相当する。したがって、これら環状傾斜面８は、中心軸Ｏから遠い位置にあるものほど平面に対する傾斜角が順次大きくなっており、この配列によりフレネル凸レンズを形成している。このように形成されたフレネル凸レンズの環状傾斜面８に金属膜を被覆して環状傾斜反射面９を形成することにより、上記の凸面型フレネルミラー３が形成される。
【００１２】
なお、図示した環状傾斜面８のピッチは、理解を容易にするため粗いピッチで示されているが、実際にフレネルミラーとして形成する場合のピッチとしては、０．１〜０．５ｍｍ、好ましくは０．１〜０．３ｍｍの極小幅に加工される。
【００１３】
上記のように構成された本発明の姿見ミラー１は、正面視では裏面に張り付けられたフレネルミラー３の存在は殆ど目視できない状態になっている。この姿見ミラー１に対面すると、フレネルミラー３が張りつけられていない箇所では自然像が写しだされ、これに対して、フレネルミラー３が張りつけられた箇所では、凸面鏡としての全体が縮小された像が写しだされる。しかし、姿見ミラー１の形態としては、表面から突出した形状にはなっておらず、平面ミラー２の平面形態が維持されている。
【００１４】
図３は本発明の他の実施形態を示す。上記図２の実施形態は、フレネルミラー３の環状傾斜反射面９側を平面ミラー２に直接対面させ、この配置によりフレネルミラー３を凸面鏡として機能させた場合であるが、図３の実施形態では、上記フレネルミラー３の裏表を反転させて、プラスチック板７側を平面ミラー２に対面させることにより、フレネルミラー３を凹面鏡として機能させるようにしたものである。
【００１５】
すなわち、フレネルミラー３の環状傾斜反射面９の傾斜方向が図２の場合と反対方向になっているので、凹面鏡として機能するようになっている。このようにフレネルミラー３の裏表を反転させた環状傾斜反射面９の表面には、樹脂の保護層１２が設けられている。この図３の姿見ミラー１に対面すると、フレネルミラー３が張りつけられた箇所では、凹面鏡の機能として部分拡大像が写しだされる。
【００１６】
図２及び図３の実施態様においては、フレネルミラー３の機材として、図４（Ｂ）に示すフレネル凸レンズを使用した場合である。しかし、このフレネルミラー３の機材としては、図４（Ｃ）に示すように、環状傾斜面８’の傾斜方向を反対側に傾斜させたフレネル凹レンズを使用することもできる。
【００１７】
すなわち、図４（Ｃ）のフレネル凹レンズの環状傾斜面８’に金属膜を被覆して環状傾斜反射面９を形成することによりフレネルミラー３にすることができる。このフレネルミラー３の環状傾斜反射面９側を平面ミラー２に直接対面させて姿見ミラー１を形成すると、そのフレネルミラー３を凹面鏡として機能させることができる。また、このフレネルミラー３を裏返して、プラスチック板７側を平面ミラー２に対面させるようにして姿見ミラー１を形成すると、そのフレネルミラー３を凸面鏡として機能させることができる。
【００１８】
本発明において、平面ミラーの基材には、透明なガラス板のほか透明プラスチック板を使用することができる。しかし、プラスチック板の場合には平面度を出しにくいため、写像に歪みを生じやすいことから、好ましくはガラス板の方を使用することが望ましい。これに対して、フレネルミラーの基材としては、加工性に優れていることからプラスチック板を使用することが好ましい。プラスチック板は、図２の例のように環状傾斜反射面９側を平面ミラー２に対面する場合には、透明および非透明のいずれでもよいが、図３の例のように、プラスチック板側を平面ミラーに対面させる場合には透明プラスチックにする必要がある。透明プラスチックとしては、例えば、ポリカーボネート、ポリアクリル、ポリスチレンなどを使用することができる。
【００１９】
本発明の姿見ミラーは、平面ミラーに凸面型又は凹面型のフレネルミラーのいずれか一方を張りつける場合のほか、凸面型フレネルミラーと凹面型フレネルミラーとの両方を同時に張りつけるようにしたものであってもよい。
【産業上の利用可能性】
【００２０】
本発明の姿見ミラーは、衣料品店のフィッティンルーム、結婚式場，劇場，テレビ局等の衣装室、理髪店，美容室等のミラー、レストラン，喫茶店等の装飾用壁面、ホテルのロビーの装飾壁面など多方面に利用することができる。
【図面の簡単な説明】
【００２１】
【図１】本発明の実施形態からなる姿見ミラーを示す正面図である。
【図２】図１のＸ−Ｘ矢視で示す断面図である。
【図３】本発明の他の実施形態を示す図２に相当する断面図である。
【図４】本発明に使用されるフレネルミラーの基材のフレネルレンズを示し、（Ａ）は平面図、（Ｂ）は（Ａ）のＹ−Ｙ矢視の断面図、（Ｃ）は他の実施形態を示す（Ｂ）に相当する断面図である。
【符号の説明】
【００２２】
１  姿見ミラー
２  平面ミラー
３  フレネルミラー
４  ガラス板
５  反射膜
６  保護層
７  プラスチック板
８，８’環状傾斜面
９  環状傾斜反射面
１０  空気層
１１  固定テープ
１２  保護層
【図１】
2005202303.tif 000003
【図２】
2005202303.tif 000004
【図３】
2005202303.tif 000005
【図４】
2005202303.tif 000006